(57)【要約】【課題】回答の返信が必要なファクシミリ通信に対して、ユーザの利便性を向上させる通信システム、通信方法、通信装置及び通信プログラムを提供する。【解決手段】通信装置１は、電話通信網ＮＷを介して、ファクシミリ通信に係る画像を示す画像情報を受信し（ステップＳ１）、受信した画像情報を入力装置２へ送信する（ステップＳ４）。入力装置２は、受信した画像情報に基づく画像を表示し（ステップＳ５）、表示した画像に対する操作入力を受け付け（ステップＳ６）、受け付けた操作入力に基づいて画像情報を加工した加工画像情報を生成し（ステップＳ７）、生成した加工画像情報を通信装置１へ送信する（ステップＳ８）。加工画像情報を受信した通信装置１は、画像情報の送信元である外部装置へファクシミリ通信により加工画像情報を送信する（ステップＳ１０）【選択図】図５
2014107758.tif 000002
【特許請求の範囲】
【請求項１】
電話回線網を介して画像を示す画像情報を送受信することが可能な通信装置と、操作入力を受け付けることが可能な入力装置とを通信可能に接続する通信システムであって、
前記通信装置は、
電話回線網を介して受信した画像情報を、前記入力装置へ送信する原画像送信手段を備え、
前記入力装置は、
受信した画像情報にて示される画像を表示する画像表示手段と、
表示した画像に対する操作入力を受け付ける操作入力手段と、
受け付けた操作入力に基づいて画像情報を加工した加工画像情報を生成する加工手段と、
生成した加工画像情報を前記通信装置へ送信する加工画像送信手段と
を備え、
前記通信装置は、更に、
受信した加工画像情報を、画像情報の送信元へ、電話回線網を介して送信する手段を備える
ことを特徴とする通信システム。
【請求項２】
請求項１に記載の通信システムであって、
前記通信装置は、
電話回線網を介して受信した画像情報により示される画像内に、所定画像又は所定文字が含まれているか否かを判別する手段を更に備え、
前記原画像送信手段は、所定画像又は所定文字が含まれていると判別した場合に、受信した画像情報を送信する
ことを特徴とする通信システム。
【請求項３】
電話回線網を介して画像を示す画像情報を送受信することが可能な通信装置と、操作入力を受け付けることが可能な入力装置とを用いた通信方法であって、
前記通信装置は、
電話回線網を介して受信した画像情報を、前記入力装置へ送信するステップを実行し、
前記入力装置は、
受信した画像情報にて示される画像を表示するステップと、
表示した画像に対する操作入力を受け付けるステップと、
受け付けた操作入力に基づいて画像情報を加工した加工画像情報を生成するステップと、
生成した加工画像情報を前記通信装置へ送信するステップと
を実行し、
前記通信装置は、更に、
受信した加工画像情報を、画像情報の送信元へ、電話回線網を介して送信するステップを実行する
ことを特徴とする通信方法。
【請求項４】
電話回線網を介して画像を示す画像情報を送受信することが可能な第１通信部及び他の装置と通信することが可能な第２通信部を備える通信装置であって、
電話回線網を介して受信した画像情報を、前記他の装置へ送信する手段と、
前記他の装置へ送信した画像情報を加工した加工画像情報を、前記他の装置から受信した場合に、受信した加工画像情報を、画像情報の送信元へ、電話回線網を介して送信する手段と
を備えることを特徴とする通信装置。
【請求項５】
電話回線網を介して画像を示す画像情報を送受信することが可能な第１通信部及び他の装置と通信することが可能な第２通信部を備えるコンピュータにて実行させる通信プログラムであって、
コンピュータに、
電話回線網を介して受信した画像情報を、前記他の装置へ送信するステップと、
前記他の装置へ送信した画像情報を加工した加工画像情報を、前記他の装置から受信した場合に、受信した加工画像情報を、画像情報の送信元へ、電話回線網を介して送信するステップと
を実行させることを特徴とする通信プログラム。
【発明の詳細な説明】
【技術分野】
【０００１】
電話回線網を介して画像を示す画像情報を送受信することが可能な通信装置と、操作入力を受け付けることが可能な入力装置とを通信可能に接続する通信システム、そのような通信システムにて実行される通信方法、そのような通信システムにて用いられる通信装置、及びそのような通信装置を実現するための通信プログラムに関する。
【背景技術】
【０００２】
電話回線網を介して画像を送受信するファクシミリ通信が普及している。ファクシミリ通信の用途として、注文書、通信教育の課題等の画像を受信し、受信した画像を出力した紙媒体に対して、発注内容又は注文確認、解答等の記載を行った上で、ファクシミリ通信にて送信元へ返信する通信方法を例示することができる。
【０００３】
画像情報を送受信するシステムとしては、例えば特許文献１に画像記憶装置と印刷装置との間で画像情報の送受信及び転送を行うシステムが開示されている。
【先行技術文献】
【特許文献】
【０００４】
【特許文献１】特開２００４−３１８４３１号公報
【発明の概要】
【発明が解決しようとする課題】
【０００５】
前述の発注内容、解答等の記載を行った上で、ファクシミリ通信にて送信元へ返信するような作業については、このような通信方法の利用が進むにつれて更なる利便性の向上が求められる。
【０００６】
特許文献１に開示されたシステムは、画像の印刷のみを考慮したものであり、印刷した画像に対する返信については考慮されていない。
【０００７】
本発明は、このような状況に鑑みてなされたものであり、通信装置が受信した画像情報を入力装置へ送信し、入力装置にて画像情報が示す画像に対する加工を行った上で、入力装置から通信装置を介して送信元へ返信する。これにより、ユーザの利便性を向上させることが可能な通信システムの提供を目的とする。
【０００８】
また、本発明は、本発明に係る通信システムにて実行される通信方法の提供を目的とする。
【０００９】
また、本発明は、本発明に係る通信システムにて用いられる通信装置の提供を目的とする。
【００１０】
また、本発明は、本発明に係る通信装置を実現するための通信プログラムの提供を目的とする。
【課題を解決するための手段】
【００１１】
上記課題を解決するため、本発明に係る通信システムは、電話回線網を介して画像を示す画像情報を送受信することが可能な通信装置と、操作入力を受け付けることが可能な入力装置とを通信可能に接続する通信システムであって、前記通信装置は、電話回線網を介して受信した画像情報を、前記入力装置へ送信する原画像送信手段を備え、前記入力装置は、受信した画像情報にて示される画像を表示する画像表示手段と、表示した画像に対する操作入力を受け付ける操作入力手段と、受け付けた操作入力に基づいて画像情報を加工した加工画像情報を生成する加工手段と、生成した加工画像情報を前記通信装置へ送信する加工画像送信手段とを備え、前記通信装置は、更に、受信した加工画像情報を、画像情報の送信元へ、電話回線網を介して送信する手段を備えることを特徴とする。
【００１２】
また、本発明に係る通信システムは、前記通信装置は、電話回線網を介して受信した画像情報により示される画像内に、所定画像又は所定文字が含まれているか否かを判別する手段を更に備え、前記原画像送信手段は、所定画像又は所定文字が含まれていると判別した場合に、受信した画像情報を送信することを特徴とする。
【００１３】
また、本発明に係る通信システムは、前記操作入力手段は、表示した画像に対する入力の軌跡を受け付け、前記加工手段は、受け付けた入力の軌跡を画像に重畳するように画像情報を加工することを特徴とする。
【００１４】
また、本発明に係る通信システムは、前記通信装置及び前記入力装置間は、電話回線網を介した通信とは異なる無線通信により通信することを特徴とする。
【００１５】
また、本発明に係る通信方法は、電話回線網を介して画像を示す画像情報を送受信することが可能な通信装置と、操作入力を受け付けることが可能な入力装置とを用いた通信方法であって、前記通信装置は、電話回線網を介して受信した画像情報を、前記入力装置へ送信するステップを実行し、前記入力装置は、受信した画像情報にて示される画像を表示するステップと、表示した画像に対する操作入力を受け付けるステップと、受け付けた操作入力に基づいて画像情報を加工した加工画像情報を生成するステップと、生成した加工画像情報を前記通信装置へ送信するステップとを実行し、前記通信装置は、更に、受信した加工画像情報を、画像情報の送信元へ、電話回線網を介して送信するステップを実行することを特徴とする。
【００１６】
また、本発明に係る通信装置は、電話回線網を介して画像を示す画像情報を送受信することが可能な第１通信部及び他の装置と通信することが可能な第２通信部を備える通信装置であって、電話回線網を介して受信した画像情報を、前記他の装置へ送信する手段と、前記他の装置へ送信した画像情報を加工した加工画像情報を、前記他の装置から受信した場合に、受信した加工画像情報を、画像情報の送信元へ、電話回線網を介して送信する手段とを備えることを特徴とする。
【００１７】
また、本発明に係る通信プログラムは、電話回線網を介して画像を示す画像情報を送受信することが可能な第１通信部及び他の装置と通信することが可能な第２通信部を備えるコンピュータにて実行させる通信プログラムであって、コンピュータに、電話回線網を介して受信した画像情報を、前記他の装置へ送信するステップと、前記他の装置へ送信した画像情報を加工した加工画像情報を、前記他の装置から受信した場合に、受信した加工画像情報を、画像情報の送信元へ、電話回線網を介して送信するステップとを実行させることを特徴とする。
【発明の効果】
【００１８】
本発明に係る通信システム、通信方法、通信装置及び通信プログラムは、通信装置が、電話回線網を介して受信した画像情報を入力装置へ送信する。入力装置は、受信した画像情報に基づく画像を表示し、画像に対する操作入力に基づき画像を加工して加工画像情報を生成し、生成した加工画像情報を通信装置へ送信する。通信装置は、受信した加工画像情報を、画像情報の送信元の装置へ送信する。これにより、ユーザは、画像情報に基づく画像を紙媒体に出力し、紙媒体に対して記述を行った上で、再送信するという操作を行う必要がない。したがって、ユーザに対する利便性を向上させることが可能である等、優れた効果を奏する。
【図面の簡単な説明】
【００１９】
【図１】本発明に係る通信システムの構成例を概念的に示す説明図である。
【図２】本発明に係る通信システムにて用いられる通信装置の構成例を示すブロック図である。
【図３】本発明に係る通信システムにて用いられる通信装置が備える受信テーブルの記録内容の一例を概念的に示す説明図である。
【図４】本発明に係る通信システムにて用いられる入力装置の構成例を示すブロック図である。
【図５】本発明に係る通信システムにて用いられる各種装置の通信処理の一例を示すシーケンス図である。
【発明を実施するための形態】
【００２０】
以下、本発明の実施の形態について図面を参照しながら説明する。なお、以下の実施の形態は、本発明を具現化した一例であって、本発明の技術的範囲を限定する性格のものではない。
【００２１】
図１は、本発明に係る通信システムの構成例を概念的に示す説明図である。本発明に係る通信システムでは、電話回線網ＮＷに接続し、画像を示す画像情報の送受信が可能なファクシミリ装置等の通信装置１が用いられる。また、通信装置１は、ユーザの入力操作を受け付ける入力装置２と双方向に通信することが可能である。入力装置２としては、携帯電話、パーソナルコンピュータの他、電話機能付きコンピュータ、所謂スマートフォン等の様々な装置を用いることができる。また、通信装置１及び入力装置２の間は、有線又は無線の様々な通信規格に即した双方向通信がなされる。本実施の形態では、ファクシミリ装置を用いた通信装置１及びスマートフォンを用いた入力装置２間を無線通信にて接続する形態を例示する。無線通信の規格としては、例えば、ブルートゥース（Ｂｌｕｅｔｏｏｔｈ；登録商標）等の近距離無線通信規格による無線通信を例示することができる。また、図示しない無線ＬＡＮルータ装置を介してＷｉ-Ｆｉ（登録商標）等の無線ＬＡＮを利用可能な無線通信規格による無線通信を例示することができる。
【００２２】
図２は、本発明に係る通信システムにて用いられる通信装置１の構成例を示すブロック図である。通信装置１は、制御部１０、記録部１１、表示部１２、キー入力部１３、音声処理部１４、電話通信制御部１５、無線通信制御部１６、子機制御部１７等の各種機構を備えている。
【００２３】
制御部１０は、情報処理回路、計時回路、レジスタ回路等の各種回路を備え、装置内の各部を制御する処理を実行するＣＰＵ（Central Processing Unit ）等の機構である。
【００２４】
記録部１１は、ＳＳＤ（Solid State Disk）等の不揮発性記録機構、及び各種ＲＡＭ（Random Access Memory）等の揮発性記録機構を用いて構成される。揮発性記録機構としては、ＳＤＲＡＭ（Synchronous Dynamic Random Access Memory）、ＳＲＡＭ（Static Random Access Memory）等の揮発性メモリが用いられる。記録部１１には、各種プログラム及びデータ等の情報が記録されている。記録部１１に記録されている各種プログラムとしては、ファクシミリ装置を本発明の通信装置１として機能させるための本発明の通信プログラムＰＲＧ等のプログラムがある。
【００２５】
そして、ファクシミリ装置等の装置は、記録部１１に記録された本発明の通信プログラムＰＲＧ等の各種プログラムを、制御部１０の制御により実行することで、本発明の通信装置として機能する。
【００２６】
また、記録部１１の記録領域の一部は、ファクシミリ通信により受信した内容を記録する受信テーブル１１ａとして用いられている。
【００２７】
表示部１２は、例えば、液晶パネルを用いて構成される出力機構であり、入力内容、通信処理の状況、電話番号等の各種情報を表示することができる。
【００２８】
キー入力部１３は、ユーザの入力操作を受け付ける数字キー、各種機能キー等のキー入力機構である。
【００２９】
音声処理部１４は、受話器として一体化されたマイクロホン等の音声入力部１４０及びスピーカ等の音声出力部１４１に接続し、音声入力部１４０から入力される音声信号及び音声出力部１４１から出力する音声信号の変換処理を行う機構である。音声処理部１４による変換処理とは、音声入力部１４０から入力された音声に基づくアナログ音声信号をデジタル信号に変換する処理、音声出力部１４１から出力すべくデジタル信号をアナログ音声信号に変換する処理等の処理である。
【００３０】
電話通信制御部１５は、電話回線網ＮＷに接続し、電話通信及びファクシミリ通信を行うための網制御機構である。
【００３１】
無線通信制御部１６は、入力装置２と無線通信を行うための通信制御機構であり、近距離通信規格による無線通信、無線ＬＡＮルータ装置を介しての無線ＬＡＮ規格による無線通信等の無線通信を制御する。即ち、無線通信制御部１６は、電話通信制御部１５とは異なる通信方法により通信する。
【００３２】
子機制御部１７は、通信装置１を親機として、図示しない他の通信装置を子機とした電話通信を中継する場合に、子機との通信を制御するための通信制御機構である。
【００３３】
図３は、本発明に係る通信システムにて用いられる通信装置１が備える受信テーブル１１ａの記録内容の一例を概念的に示す説明図である。受信テーブル１１ａは、ファクシミリを受信した場合に、受信したファクシミリに関する情報を記録するテーブルである。受信テーブル１１ａには、識別番号（No. ）、受信日時、送信元電話番号、ファイル名等の情報がそれぞれ対応付けられたレコードとして記録されている。
【００３４】
識別番号は、着信（受信）に係る呼を識別するための番号である。受信日時は、受信した日時を示す情報である。送信元電話番号は、ファクシミリ通信の送信元のファクシミリ番号である。ファイル名は、受信したファクシミリの画像を変換した画像データに付与される名称である。
【００３５】
本発明に係る通信システムでは、ファクシミリ通信を受信する都度、図３に例示するように、受信テーブル１１ａに新たなレコードが追加される。
【００３６】
図４は、本発明に係る通信システムにて用いられる入力装置２の構成例を示すブロック図である。入力装置２は、制御部２０、記録部２１、表示入力部２２、音声処理部２３、無線通信制御部２４、電話通信制御部２５等の各種機構を備えている。
【００３７】
制御部２０は、装置全体を制御するＣＰＵ等の制御機構である。
【００３８】
記録部２１は、不揮発性記録機構及び揮発性記録機構を用いて構成される各種メモリを用いた記録機構である。
【００３９】
表示入力部２２は、例えば、液晶タッチパネルを用いて構成される入出力インターフェースの一種であり、矩形薄膜状の液晶パネル等の表示部２２０と、矩形薄膜状のタッチパネル等の操作入力部２２１とを重畳して形成される。表示部２２０は、画像を表示する液晶パネル、有機ＥＬパネル、プラズマパネル等の表示用部品を用いて構成される出力機構である。操作入力部２２１は、赤外線を用いた接触センサ、感圧センサ、静電容量センサ等の各種センサを用いて構成される入力機構であり、例えば、ユーザの指が接触した場合に、その接触位置を入力位置として検出する。
【００４０】
音声処理部２３は、音声入力部２３０及び音声出力部２３１に接続し、音声入力部２３０から入力される音声信号及び音声出力部２３１から出力する音声信号の変換処理を行う機構である。
【００４１】
無線通信制御部２４は、通信装置１と無線通信を行うための通信制御機構であり、近距離通信規格による無線通信、無線ＬＡＮルータ装置を介しての無線ＬＡＮ規格による無線通信等の無線通信を制御する。
【００４２】
電話通信制御部２５は、電話通信を行う場合の通信制御機構である。
【００４３】
次に本発明の通信システムにて用いられる各種装置の処理について説明する。図５は、本発明に係る通信システムにて用いられる各種装置の通信処理の一例を示すシーケンス図である。通信装置１は、記録部１１に記録している通信プログラムＰＲＧを実行する制御部１０の制御により、電話回線網ＮＷに接続する外部装置との通信を契機として通信処理を実行する。
【００４４】
制御部１０は、外部装置から、ファクシミリ通信に係る画像を示す画像情報を電話通信制御部１５にて受信する（ステップＳ１）。外部装置から送信される画像とは、例えば、注文書、通信教育の課題等の画像である。当該画像は、例えば、通信装置１及び入力装置２を所持するユーザに対し、注文書に対する発注内容又は注文確認、課題に対する解答等の記載を行い、発注内容又は注文確認を記載した注文書、解答を記載した課題の返信を要求する書面である。
【００４５】
制御部１０は、受信した画像情報により示される画像内に、所定画像又は所定文字が含まれているか否かを判別する（ステップＳ２）。ステップＳ２の所定画像又は所定文字とは、「解答返信」、「捺印」、「サイン」等の返信を要することを示す画像又は文字を示す。ステップＳ２の判別は、ＯＣＲ（Optical Character Reader）等の文字読取機能により行ってもよく、また、予め返信を要求する画像を登録しておき、当該画像を照合することにより行ってもよい。
【００４６】
制御部１０は、ステップＳ２において、所定画像又は所定文字が含まれていると判別した場合、受信したファクシミリに関する送信元情報等の各種情報を受信テーブル１１ａに記録する（ステップＳ３）。ステップＳ３にて記録される情報とは、識別番号、受信日時、送信元電話番号、ファイル名等の情報である。なお、ステップＳ２において、画像には、所定画像及び所定文字のいずれも含まれていないと判別した場合、ステップＳ３以下の処理は実行せず、通常のファクシミリ受信処理を実行する。
【００４７】
そして、制御部１０は、受信した画像情報を、無線通信制御部１６にて入力装置２へ送信する（ステップＳ４）。なお、画像情報の送信に際し、必要に応じて画像情報の形式が、例えば、ＪＰＥＧ（Joint Photographic Experts Group）等の形式に変換される。この場合、受信テーブル１１ａに記録されるファイル名は、変換後の形式に基づくファイル名となる。画像情報の送信は、予め入力装置２への送信方法及び送信に係る識別子を登録しておくことにより、自動的に通信装置１から入力装置２へ送信される。なお、ユーザが入力装置２を操作し、通信装置１が受信した画像情報の送信を要求するようにしてもよい。
【００４８】
入力装置２は、制御部２０の制御により、無線通信制御部２４にて、画像情報を受信する。制御部２０は、メッセージの表示等の処理により、画像情報を受信したことをユーザに提示し、ユーザからの所定の操作入力の受付を契機として、以下の処理を実行する。
【００４９】
制御部２０は、受信した画像情報に基づく画像を表示入力部２２の表示部２２０に表示する（ステップＳ５）。ステップＳ５において、例えば注文書、通信教育の課題等の画像が表示される。ユーザは、表示された画像を視認し、注文書に対する発注又は注文確認、課題に対する解答等の入力を行う。これらの入力は、例えば、入力装置２がスマートフォンの場合、表示入力部２２の操作入力部２２１に対して、指又はタッチペン等の指示具を用いて接触し、接触した状態を維持しながら指又は指示具を移動させることにより行われる。所謂、手書き入力である。
【００５０】
制御部２０は、表示した画像に対する入力の軌跡を操作入力部２２１にて受け付けることにより、画像に対する操作入力を受け付ける（ステップＳ６）。更に、制御部２０は、受け付けた操作入力に基づいて、受け付けた入力の軌跡を画像に重畳するように画像情報を加工した加工画像情報を生成する（ステップＳ７）。ステップＳ６〜Ｓ７の処理により、例えば課題に対して解答が記載された画像を示す画像情報が生成される。
【００５１】
そして、制御部２０は、生成した加工画像情報を無線通信制御部２４にて通信装置１へ送信する（ステップＳ８）。
【００５２】
通信装置１は、無線通信制御部１６にて加工画像情報を受信する。加工画像情報を受信した通信装置１は、受信した加工画像情報の送信先となる送信元情報を受信テーブル１１ａから抽出する（ステップＳ９）。抽出される送信元情報は、加工画像情報の基となった画像情報の送信元を示す情報である。即ち、受信テーブル１１ａに、画像情報を受信する都度記録されるレコードは、送信元情報として送信先情報が抽出される都度、消去又は送信済みのフラグの記録が行われる。なお、送信先情報を抽出されていないレコードが複数ある場合、例えば、画像情報と加工画像情報とのファイル名を照合することにより、送信元情報を特定することができる。
【００５３】
そして、通信装置１は、抽出した送信元情報が示す外部装置へ、電話通信制御部１５からファクシミリ通信により加工画像情報を送信する（ステップＳ１０）。このとき、必要に応じて加工画像情報の形式が変換される。また、通信装置１は、加工画像情報を送信後、送信が完了したことを通知する通知情報を入力装置２へ送信し、入力装置２にて表示可能とすることにより、入力装置２を操作する操作者は、送信が完了したことを把握することが可能となる。
【００５４】
以上のように、本発明に係る通信システムでは、ユーザが、画像情報に基づく画像を紙媒体に出力し、紙媒体に対して記述を行った上で、再送信するという操作を行う必要がない。したがって、ユーザに対する利便性を向上させることが可能である等、優れた効果を奏する。
【００５５】
また、加工画像情報として送信した注文確認、課題に対する解答等の回答内容を通信装置１にて通信ログとして記録しておくことにより、外部装置から送信された画像情報に対して回答したか否かを、通信装置１の通信ログにて容易に事後確認することが可能となる。特に、画像情報の受信記録及び加工画像情報の送信記録を対応付けて記録しておくことにより、複数の画像情報を受信している場合であっても容易に確認をすることができるという顕著な効果を得ることができる。
【００５６】
前記実施の形態は、本発明の無数に存在する実施例の一部を開示したに過ぎず、目的、用途、使用、設定等の様々な要因を加味して適宜設計することが可能である。
【００５７】
例えば、前記実施の形態では、受信した画像情報により示される画像内に、所定画像又は所定文字が含まれているか否かにより、通信装置への送信の有無を判別する形態を例示した。しかしながら、本発明はこれに限るものではなく、例えば、送信元の送信元番号（ファクシミリ番号）に基づいて、通信装置への送信の有無を判別する等、様々な方法に展開することが可能である。
【００５８】
また、例えば、前記実施の形態では、入力装置としてスマートフォンを用いる形態を示したが、本発明はこれに限るものではなく、携帯電話、パーソナルコンピュータ等の様々な装置を入力装置として用いることが可能である。更には、パーソナルコンピュータを用いる場合、有線ＬＡＮ等の有線通信により、通信装置と入力装置とを接続するようにしてもよい。
【００５９】
以上詳述したように、本発明に係る通信システムは、電話回線網ＮＷを介して画像を示す画像情報を送受信することが可能な通信装置１と、操作入力を受け付けることが可能な入力装置２とを通信可能に接続する通信システムであって、前記通信装置１は、電話回線網ＮＷを介して受信した画像情報を、前記入力装置２へ送信する原画像送信手段を備え、前記入力装置２は、受信した画像情報にて示される画像を表示する画像表示手段と、表示した画像に対する操作入力を受け付ける操作入力手段と、受け付けた操作入力に基づいて画像情報を加工した加工画像情報を生成する加工手段と、生成した加工画像情報を前記通信装置１へ送信する加工画像送信手段とを備え、前記通信装置１は、更に、受信した加工画像情報を、画像情報の送信元へ、電話回線網ＮＷを介して送信する手段を備えることを特徴とする。
【００６０】
したがって、ユーザが、画像情報に基づく画像を紙媒体に出力し、紙媒体に対して記述を行った上で、再送信するという操作を行う必要がない。
【００６１】
また、本発明に係る通信システムは、前記通信装置１は、電話回線網ＮＷを介して受信した画像情報により示される画像内に、所定画像又は所定文字が含まれているか否かを判別する手段を更に備え、前記原画像送信手段は、所定画像又は所定文字が含まれていると判別した場合に、受信した画像情報を送信することを特徴とする。
【００６２】
したがって、通信装置１は、入力装置２への送信の要否を自動的に判別することが可能となる。
【００６３】
また、本発明に係る通信システムは、前記操作入力手段は、表示した画像に対する入力の軌跡を受け付け、前記加工手段は、受け付けた入力の軌跡を画像に重畳するように画像情報を加工することを特徴とする。
【００６４】
したがって、ユーザは、手書き入力により画像に対する回答を行うことが可能である。
【００６５】
また、本発明に係る通信システムは、前記通信装置１及び前記入力装置２間は、電話回線網ＮＷを介した通信とは異なる無線通信により通信することを特徴とする。
【００６６】
したがって、携帯可能な入力装置２、移動可能な入力装置２等の様々な通信装置２の使用を可能とすることができる。
【００６７】
また、本発明に係る通信方法は、電話回線網ＮＷを介して画像を示す画像情報を送受信することが可能な通信装置１と、操作入力を受け付けることが可能な入力装置２とを用いた通信方法であって、前記通信装置１は、電話回線網ＮＷを介して受信した画像情報を、前記入力装置２へ送信するステップを実行し、前記入力装置２は、受信した画像情報にて示される画像を表示するステップと、表示した画像に対する操作入力を受け付けるステップと、受け付けた操作入力に基づいて画像情報を加工した加工画像情報を生成するステップと、生成した加工画像情報を前記通信装置１へ送信するステップとを実行し、前記通信装置１は、更に、受信した加工画像情報を、画像情報の送信元へ、電話回線網ＮＷを介して送信するステップを実行することを特徴とする。
【００６８】
したがって、ユーザが、画像情報に基づく画像を紙媒体に出力し、紙媒体に対して記述を行った上で、再送信するという操作を行う必要がない。
【００６９】
また、本発明に係る通信装置１は、電話回線網ＮＷを介して画像を示す画像情報を送受信することが可能な第１通信部及び他の装置と通信することが可能な第２通信部を備える通信装置１であって、電話回線網ＮＷを介して受信した画像情報を、前記他の装置へ送信する手段と、前記他の装置へ送信した画像情報を加工した加工画像情報を、前記他の装置から受信した場合に、受信した加工画像情報を、画像情報の送信元へ、電話回線網ＮＷを介して送信する手段とを備えることを特徴とする。
【００７０】
したがって、ユーザが、画像情報に基づく画像を紙媒体に出力し、紙媒体に対して記述を行った上で、再送信するという操作を行う必要がない。
【００７１】
また、本発明に係る通信プログラムＰＲＧは、電話回線網ＮＷを介して画像を示す画像情報を送受信することが可能な第１通信部及び他の装置と通信することが可能な第２通信部を備えるコンピュータにて実行させる通信プログラムＰＲＧであって、コンピュータに、電話回線網ＮＷを介して受信した画像情報を、前記他の装置へ送信するステップと、前記他の装置へ送信した画像情報を加工した加工画像情報を、前記他の装置から受信した場合に、受信した加工画像情報を、画像情報の送信元へ、電話回線網を介して送信するステップとを実行させることを特徴とする。
【００７２】
したがって、通信プログラムＰＲＧをファクシミリ装置等の通信装置１にて実行することにより、ファクシミリ装置が本発明に係る通信装置１として作動するので、ユーザが、画像情報に基づく画像を紙媒体に出力し、紙媒体に対して記述を行った上で、再送信するという操作を行う必要がない。
【符号の説明】
【００７３】
１  通信装置
１０  制御部
１１  記録部
１１ａ  受信テーブル
１２  表示部
１３  キー入力部
１４  音声処理部
１５  電話通信制御部
１６  無線通信制御部
１７  子機制御部
２  入力装置
２０  制御部
２１  記録部
２２  表示入力部
２２０  表示部
２２１  操作入力部
２３  音声処理部
２３０  音声入力部
２３１  音声出力部
２４  無線通信制御部
２５  電話通信制御部
ＮＷ  電話回線網
ＰＲＧ  通信プログラム
【図１】
2014107758.tif 000003
【図２】
2014107758.tif 000004
【図３】
2014107758.tif 000005
【図４】
2014107758.tif 000006
【図５】
2014107758.tif 000007